(57)【要約】  第１バリア要素と少なくとも第２バリア要素とを含むバリアシステムが設けられる。第１及び第２バリア要素の少なくとも一部分は、中空内側部を有する。バリア連結装置は、利用時に第１バリア要素の端部を少なくとも第２バリア要素の端部に着脱可能に連結するために設けられている。バリア連結装置は、利用時に第１バリア要素及び少なくとも第２バリア要素のそれぞれへの着脱可能な取付けを可能にするように配置された、バリア連結装置上に設けられた又はバリア連結装置と対応付けられた連結手段を有する。バリア連結装置は、第１バリア要素と少なくとも第２バリア要素とを互いに着脱可能に連結するために、利用時にバリア連結装置の少なくとも一部を第１及び第２バリア要素の中空内部に差し込み可能であるように配置され、かつ寸法付けされている。【選択図】  図３ａ
2021515861.tif 000002
【特許請求の範囲】
【請求項１】
第１バリア要素及び少なくとも第２バリア要素であって、前記第１バリア要素及び前記第２バリア要素の少なくとも一部分は、中空内側部を有する、第１バリア要素及び少なくとも第２バリア要素と、
利用時に前記第１バリア要素の端部を少なくとも前記第２バリア要素の端部に着脱可能に連結するためのバリア連結装置とを含み、
前記バリア連結装置は、利用時に前記第１バリア要素及び少なくとも前記第２バリア要素のそれぞれへの着脱可能な取付けを可能にするように配置された、前記バリア連結装置上に設けられた又は前記バリア連結装置と対応付けられた連結手段を有し、
前記バリア連結装置は、前記第１バリア要素と少なくとも前記第２バリア要素とを互いに着脱可能に連結するために、利用時に前記バリア連結装置の少なくとも一部を前記第１及び第２バリア要素の前記中空内部に差し込み可能であるように配置され、かつ寸法付けされている、バリア連結装置と、
を含む、バリアシステム。
【請求項２】
前記バリア連結装置は、利用時に連結されると、前記第１バリア要素と少なくとも前記第２バリア要素との間に硬い又は実質的に硬い連結を設けるように配置されている、請求項１に記載のバリアシステム。
【請求項３】
各バリア要素の前記中空内部は、前記バリア要素の端部に隣接して設けられており、前記バリア要素の頂部及び端部に、利用時に前記バリア連結装置の少なくとも一部の受け入れを可能にするための開口部を有する、請求項１に記載のバリアシステム。
【請求項４】
前記バリア連結装置は、Ｔ字形又は実質的にＴ字形の形態であり、第１部材を含み、第２部材は、前記第１部材の中心位置で又は前記第１部材の端部間の位置で、前記第１部材から外側に向かって横断方向に又は垂直に突出している、請求項１に記載のバリアシステム。
【請求項５】
前記バリア連結装置の前記連結手段は、前記第１バリア要素の前記端部の第１部分と前記第２バリア要素の前記端部の第１部分とを連結するための第１連結手段と、前記第１バリア要素の前記端部の第２部分と前記第２バリア要素の前記端部の第２部分とを連結するための第２連結手段と、を含み、前記第１連結手段及び前記第２連結手段は、前記バリア要素の長手方向軸に垂直な又は横断方向の軸内に、離れた距離で設けられている、請求項１に記載のバリアシステム。
【請求項６】
前記第１連結手段及び前記第２連結手段は、前記バリア要素の前記長手方向軸に平行な方向に離れた距離で設けられている、請求項１又は５に記載のバリアシステム。
【請求項７】
各バリア要素は、利用時に、前記バリア連結装置上に設けられた前記連結手段との着脱可能な連結を可能にするための取付手段を有する、請求項１に記載のバリアシステム。
【請求項８】
前記連結手段は、１つ以上のピン、ボス、ねじ、ボルト、突出部材、及び／若しくはほぞ、又は１つ以上の凹み、チャネル、アパーチャ、及び／又は止まり穴のうちの１つの形態であり、１つ以上のピン、ボス、ねじ、ボルト、突出部材、及び／若しくはほぞ、又は１つ以上の凹み、チャネル、アパーチャ、及び／若しくは止まり穴のもう一方の形態である前記取付手段と着脱可能に連結する、請求項７に記載のバリアシステム。
【請求項９】
前記バリア連結装置は、利用時に前記バリア要素に連結されると、前記バリア要素の頂部と前記バリア要素のベースとの間の全体に又は実質的に全体に延びる、請求項１に記載のバリアシステム。
【請求項１０】
前記第１連結手段は、前記バリア連結装置を前記第１バリア要素に連結するための左第１連結手段と、バリア連結部を連結するための右第１連結手段と、を含み、前記第２連結手段は、前記バリア連結装置を前記第１バリア要素に連結するための左第２連結手段と、前記バリア連結装置を前記第２バリア要素に連結するための右第２連結手段と、を含む、請求項５に記載のバリアシステム。
【請求項１１】
前記第１部材は、前記第２部材の１つ、２つ、又は全ての側面から外側に向かって突出するような寸法のものである、請求項４に記載のバリアシステム。
【請求項１２】
前記第２部材は、前記第１部材に直接隣接して設けられた上部と、前記第１部材から距離を離して設けられた下部と、を含み、前記上部と前記下部との間に肩部分を作成するために、前記下部は前記上部よりも長さが短く、前記肩部は、利用時に、前記バリア要素のそれぞれの前記内部内に設けられた１つ以上のリブ部材と係合するように配置されている、請求項４に記載のバリアシステム。
【請求項１３】
前記第２部材は、直線又は実質的に直線の形態である、請求項４に記載のバリアシステム。
【請求項１４】
１つ以上のスロット又はアパーチャは、利用時に前記１つ以上のスロット又はアパーチャ内にツール及び／又は持ち上げ器具を差し込むことを可能にするために、前記第１部材内に画定される、請求項４に記載のバリアシステム。
【請求項１５】
前記第１バリア要素及び少なくとも前記第２バリア要素は、同一の又は実質的に同一の形態である、請求項１に記載のバリアシステム。
【請求項１６】
前記第１バリア要素及び少なくとも前記第２バリア要素はそれぞれ、利用時に地表面上に位置付けるためのベースと、前記ベースから外側に向かって突出した１つ以上のサイドインパクト壁と、前記ベースの反対側に設けられた頂部と、を有する、請求項１に記載のバリアシステム。
【請求項１７】
利用時に前記バリア連結装置が前記バリア要素に接合されると、前記バリア連結装置の前記第１部材は、前記バリア要素の前記頂部と面一又は実質的に面一になるように配置されている、請求項１〜１６のいずれか一項に記載のバリアシステム。
【請求項１８】
アンカー手段は、利用時に前記バリア要素を地表面に固定することを可能にするために、前記バリア要素のベース上に設けられている又は前記バリア要素のベースと対応付けられている、請求項１に記載のバリアシステム。
【請求項１９】
前記バリア連結装置の前記第２部材は、利用時に前記バリア要素に連結されると、完全に又は実質的に完全に前記バリア要素の前記中空部内に位置付けられるように配置される、請求項４に記載のバリアシステム。
【請求項２０】
請求項１に記載のバリアシステムと共に利用するためのバリア要素。
【請求項２１】
請求項１に記載のバリアシステムと共に利用するためのバリア連結装置。
【請求項２２】
バリアシステムを利用する方法であって、前記バリアシステムは、第１バリア要素及び少なくとも第２バリア要素であって、前記第１バリア要素及び前記第２バリア要素の少なくとも一部分は、中空内側部を有する、第１バリア要素及び少なくとも第２バリア要素を含み、前記方法は、前記第１バリア要素の端部と前記第２バリア要素の端部とを互いに組み合わせる工程と、バリア連結装置を利用して、前記第１バリア要素の前記端部と前記第２バリア要素の前記端部とを着脱可能に連結する工程であって、前記バリア連結装置は、前記第１バリア要素の前記端部と少なくとも前記第２バリア要素の前記端部とを互いに着脱可能に連結するために前記バリア連結装置上に設けられた又は前記バリア連結装置と対応付けられた連結手段を有し、前記バリア連結装置は、前記第１バリア要素と少なくとも前記第２バリア要素とを互いに着脱可能に連結するために、前記バリア連結装置の少なくとも一部を前記第１及び第２バリア要素の前記中空内部に差し込み可能であるように配置され、かつ寸法付けされている、工程と、を含む、
方法。
【発明の詳細な説明】
【技術分野】
【０００１】
本発明は、バリアシステム、バリア連結装置、バリア要素、及び／又はこれらを利用する方法に関する。
【背景技術】
【０００２】
以下の説明では、公道の衝突バリアの一部を形成するためのバリアシステム、バリア要素、及びバリア連結装置にほぼ限定して述べるが、当業者であれば、本発明は、任意の目的若しくは用途のための、又は任意の適切な表面上で利用するための、例えば、１以上の人、動物、及び／又は物体がバリアの一方の側からバリアの反対側に通過するのを止めるためのバリア、歩行者用バリア、標識が載置されたバリア、フェンスタイプのバリア、道路外バリア、及び／又は同様のものなどの、任意の種類のバリアを提供するために利用できることは理解されるであろう。
【０００３】
利用時に、長尺状のバリア構造体又はシステムを形成するために、複数のバリア要素を、端部と端部とを繋ぎ合わせる手法で互いに連結することは知られている。このようなバリア構造体は、利用時に、必要に応じて度々配置すること及び／若しくは取り外すことを可能にするために自立させることができる若しくは地表面に一時的に固定することができるという点で仮設構造体とすることができる、又は利用時に地表面に固定的に取り付けられる恒久的な構造体とすることができる。
【０００４】
仮設バリア要素の一例は、ＧＢ２４０３５００号明細書に示されている。バリア要素は、第１端部から外側に向かって突出している上ほぞ連結部と、前記第１端部にあるバリアの中空内側部内に凹設された下ほぞ穴連結部とを含む、第１端部を有する。バリア要素の第２端部は、バリア要素の中空内側部内に凹設された上ほぞ穴連結部と、第２端部にあるバリア要素の中空内側部内に同じく凹設された下ほぞ連結部とを含む。第１バリア要素の第１端部は、利用時に、上及び下のほぞ穴部とほぞ連結部とを互いに係合させることにより、第２バリア要素の第２端部に接合される。その後、バリア要素を、端部と端部とを繋ぎ合わせる手法で接合し、長尺状のバリア構造体を形成することができる。
【０００５】
このタイプの仮設バリア要素に関連する課題は、ほぞ穴連結部とほぞ連結部とを互いに係合させるために、第１バリア要素のほぞ穴連結部及びほぞ連結部を第２バリア要素の中空内側部に水平に摺動させる動きで差し込み、これに続いて、バリア要素のほぞ穴連結部とほぞ連結部とを係合させるために垂直方向の動きを行わなければならないことである。これは、バリア要素の重量のためクレーンで実施しなければならない。水平移動及び垂直移動中の係合を可能にするために必要な精度は複合的であり、かつ時間のかかるものである。したがって、このバリアは、例えば、公道の補修を行うための公道の限られた閉鎖期間中などの、仮設バリア構造体の迅速な据付けが必要な用途にとって理想的なものではない。
【０００６】
加えて、バリア要素の第１端部から外側に向かって突出しているほぞ連結部により、バリア要素が比較的大きな量のスペースを占有することになり、したがって、バリア要素が、運搬するのに困難であり、かつ費用がかかるものになる。一般に、このようなバリア要素は、バリア要素の長さのせいで、開放平台型トラックの荷台上でしか運搬することができない。
【０００７】
さらに、バリア要素を利用して長尺状のバリア構造体が形成されると、中間のバリア要素につながる全てのバリア要素を最初に取り外すことなく長尺状のバリア構造体から中間のバリア要素を取り外すことは不可能である。このことは、バリア要素の利用用途を制限する。
【０００８】
加えて、バリア要素は、１つのバリア要素のほぞ穴連結部を隣接するバリア要素のほぞ連結部と適切に係合できるようにするために、１つの向きでしか利用できない。これにより、バリア要素を用いて長尺状のバリア構造体を形成する複雑さ及び難しさが増す。
【発明の概要】
【発明が解決しようとする課題】
【０００９】
したがって、本発明の目的は、上記の課題を克服するバリアシステムを提供することである。
【００１０】
本発明の目的は、上記の課題を克服するバリア連結装置を提供することである。
【００１１】
本発明の更なる目的は、上記の課題を克服する、バリアシステム及び／又はバリア連結装置と共に利用するためのバリア要素を提供することである。
【００１２】
本発明の更に別の目的は、バリアシステム、バリア連結装置、及び／又はバリア要素を利用する方法を提供することである。
【課題を解決するための手段】
【００１３】
本発明の第１の態様によれば、第１バリア要素及び少なくとも第２バリア要素であって、第１及び第２バリア要素の少なくとも一部分は、中空内側部を有する、第１バリア要素及び少なくとも第２バリア要素と、利用時に第１バリア要素の端部を少なくとも第２バリア要素の端部に着脱可能に連結するためのバリア連結装置であって、前記バリア連結装置は、利用時に第１バリア要素及び少なくとも第２バリア要素のそれぞれへの着脱可能な取付けを可能にするように配置された、バリア連結装置上に設けられた又はバリア連結装置と対応付けられた連結手段を有し、バリア連結装置は、第１バリア要素と少なくとも第２バリア要素とを互いに着脱可能に連結するために、利用時にバリア連結装置の少なくとも一部を第１及び第２バリア要素の中空内部に差し込み可能であるように配置され、かつ寸法付けにされている、バリア連結装置と、を含む、バリアシステムが提供される。
【００１４】
したがって、本発明は、利用時にバリア要素の端部間の直接係合を必要とするよりも、むしろ、バリア連結装置を利用して（すなわち、バリア連結装置は、バリア要素を互いに間接連結することを可能にするための中間部材として機能する。）、第１バリア要素の端部と第２バリア要素の端部とを互いに連結することを可能にするバリア連結装置を含むバリアシステムを提供する。これにより、いくつかの利点を提供する。
【００１５】
第１に、利用時に第１バリア要素と第２バリア要素とを互いに連結する連結プロセスが大幅に簡略化され、それにより、バリア要素を互いに迅速かつ容易に接合すること可能にする。これは、利用時にバリア要素及びバリア連結装置が仮設バリアシステムの一部として設けられる場合に重要な利点である。しかしながら、必要であれば、本発明のバリアシステムは、また、恒久的なバリアシステムも形成できることに留意すべきである。
【００１６】
バリア連結装置は、バリア連結装置を単一方向及び／又は垂直方向（すなわち、バリア要素又はバリア連結装置の長手方向軸を横断する又はこれに垂直な方向）にのみ移動させることによって、バリア連結装置をバリア要素より上の開始場所から単に落下させてバリア要素と係合させることにより、バリア要素に装着され得る。バリア連結装置は、必要であれば、装着／連結プロセス中に横方向又は水平移動を行うことができるが、いくつかの先行技術のバリアシステムのように、バリア要素を互いに連結する際に水平移動及び垂直移動の両方を必須要件としない。
【００１７】
第２に、本発明のバリア連結装置は、連結装置を単一方向及び／又は垂直方向にのみ移動させることによって、２つの隣り合ったバリア要素に着脱可能に取り付けることができる又は着脱可能に連結することができるため、これにより、端部と端部とが接合された複数のバリア要素を備える長尺状のバリアシステムの中間部内のバリア要素を、必要に応じて交換すること及び／又は取り外すことを可能にする。これにより、装置、バリア要素、及び／又はバリアシステムを、いくつかの先行技術のバリアシステムに比べてはるかに広い範囲の用途に利用することを可能にする。
【００１８】
加えて、本発明のバリア連結装置は、利用していない時にバリア要素から完全に取り外すことができるため、これにより、保管及び／又は運搬のためのバリア要素の全体的なサイズ及び／又は長さが低減される。したがって、バリア要素は、バリア要素の最外周囲又は端部を越えて外側に向かって突出したあらゆるバリア連結手段なしに提供され得る。これにより、バリア要素を、標準的な１２フィートの輸送コンテナに収めることが可能になり、先行技術のバリアシステムのいくつかの場合のように、開放平台型トラックのみによる運搬を必要とすることはない。これにより、利用時にバリア要素の運搬及び／又は保管に伴うコストが低下する。
さらに、本発明のバリアシステム内のバリア要素は、互いに同一又は実質的に同一にすることができ、いくつかの先行技術のバリア要素にあるような特定の雄型端部バリア要素及び雌型端部バリア要素の要件はない。バリア連結装置はまた、２つの可能な向きで利用することができる。このことは、本発明のバリア要素及び／又はバリア連結装置は、端部と端部とを任意の向きで繋げて装着することができ、それにより、利用時に連結バリアを互いに連結するプロセスが大きく簡略化されることを意味する。
【００１９】
一実施形態において、バリアシステムは、部品（すなわち、利用時に組み合わされて連結される別個の構成要素としてのバリア連結装置及びバリア要素）のキットとして提供され得る。
【００２０】
一実施形態において、バリア連結装置は、利用時に連結されると、第１バリア要素と第２バリア要素との間に硬い又は実質的に硬い連結を設けるように配置されている。したがって、利用時にバリア連結装置がバリア要素に装着されると、２つのバリア要素の間に旋回移動又は摺動移動はない若しくは実質的にない。この実施形態では、好ましくは、バリア連結装置の少なくとも一部は、利用時に係合されたときのバリア要素に対するバリア連結装置の回転又はバリア要素の互いに対する回転を制限する又は防止するために、各バリア要素の２つ以上の壁又は対向する壁の間に位置付けられている。
【００２１】
一実施形態において、バリア連結装置は、利用時に連結されると、第１バリア要素と第２バリア要素との間に旋回連結を提供するように配置されている。この実施形態では、好ましくは、バリア連結装置の少なくとも一部は、バリア要素上のある箇所と係合するように配置されており、バリア連結装置の少なくとも一部は、利用時に、この箇所を中心に旋回することができる。
【００２２】
好ましくは、バリア要素の少なくとも中空内部は、各バリア要素の端部又は両方の端部に好ましくは直接隣接する。
【００２３】
好ましくは、バリア要素の少なくとも中空内部は、バリア要素の頂部及びバリア要素の端部に、利用時にバリア連結装置の受け入れを可能にするための開口部を有する。
【００２４】
好ましくは、バリア要素の頂部はバリアのベースの反対側にあり、バリアは、利用時に、ベースにおいて地表面上に位置付けられる。
【００２５】
好ましくは、バリア要素の端部は、バリア要素の２つの側壁の間に設けられている。
【００２６】
好ましくは、バリア要素の中空内部の頂部開口部と端部開口部とは、互いに流体連通する。
【００２７】
好ましくは、バリア連結装置は、バリア連結装置の通常利用時にバリア要素から完全に取り外し可能な本体部分若しくは単一の本体部分を含む、又はバリア連結装置の通常利用時にバリア要素から完全に取り外し可能な本体部分若しくは単一の本体部分からなる。
【００２８】
好ましくは、バリア連結装置の取り外しは、バリア連結装置がバリア要素に装着されるときと反対方向（すなわち、バリア要素の長手方向軸を横断する又は平行な方向）である。
【００２９】
好ましくは、バリア連結装置は、バリア連結装置が第１及び第２バリア要素から離れた距離にあり得る係脱又は非利用場所から、バリア連結装置が第１及び第２バリア要素に連結される係合又は利用場所に移動可能である。
【００３０】
好ましくは、バリア連結装置は、利用時に第１及び第２バリア要素と連結されると、装置の少なくとも一部が第１及び第２バリア要素と重なり合って係合するように配置される。
【００３１】
好ましくは、バリア連結装置又はバリア連結装置の本体部分は、Ｔ字形又は実質的にＴ字形の形態である。例えば、バリア連結装置又は本体部分は、第１すなわちヘッド部材と、第１すなわちヘッド部材の中心の場所で又は第１すなわちヘッド部材の端部の間で第１すなわちヘッド部材から外側に向かって突出した第２すなわちネック部材と、を含み得る。
【００３２】
好ましくは、第２すなわちネック部材は、第１すなわちヘッド部材に垂直に又は横断的に突出している。
【００３３】
好ましくは、連結手段は、バリア連結装置の下面若しくはバリア対向表面上に提供され、又はバリア連結装置の下面若しくはバリア対向表面と対応付けられ、利用時にバリア連結装置の下面を前記バリア要素に向かって垂直又は実質的に垂直方向に移動させることによって、バリア要素との係合状態に、更に好ましくは、バリア要素上の取付手段との係合状態に移行することができる。
【００３４】
一実施形態において、バリア連結装置の連結手段は、利用時に、第１バリア要素の端部の第１部分と第２バリア要素の端部の第１部分とを連結するための第１連結手段と、利用時に、第１バリア要素の端部の第２部分と第２バリア要素の端部の第２部分とを連結するための第２連結手段と、を含む。
【００３５】
好ましくは、第１連結手段は、利用時に、バリア要素の端部上に設けられた第１取付手段と連結する。
【００３６】
好ましくは、第２連結手段は、利用時に、バリア要素の端部上に設けられた第２取付手段と連結する。
【００３７】
好ましくは、第１連結手段と第２連結手段は、バリア連結装置上に離れた距離で設けられており、更に好ましくは、バリア連結装置上の垂直又は直立軸内に離れた距離で設けられている。
【００３８】
好ましくは、第１取付手段と第２取付手段は、バリア要素上に離れた距離で設けられており、更に好ましくは、バリア要素上の垂直又は直立軸内に離れた距離で設けられている。
【００３９】
好ましくは、第１連結手段と第２連結手段は、バリア連結装置上の、バリア要素若しくはバリア連結装置の長手方向軸に垂直な又はバリア要素若しくはバリア連結装置の長手方向軸を横断する軸内に離れた距離で設けられている。
【００４０】
好ましくは、第１取付手段と第２取付手段は、バリア要素上の、バリア要素の長手方向軸に垂直な又はバリア要素の長手方向軸を横断する軸内に離れた距離で設けられている。
【００４１】
更に好ましくは、第１連結手段と第２連結手段は、バリア連結装置上の、水平軸又は実質的に水平軸内に離れた距離で設けられている。
【００４２】
更に好ましくは、第１取付手段と第２取付手段は、バリア要素上の、水平軸又は実質的に水平軸内に離れた距離で設けられている。
【００４３】
好ましくは、第１連結手段と第２連結手段は、バリア連結装置上に、バリア連結装置及び／又はバリア要素の長手方向軸に平行な方向に離れた距離で設けられている。
【００４４】
好ましくは、第１取付手段と第２取付手段は、バリア要素上に、バリア要素の長手方向軸に平行な方向に離れた距離で設けられている。
【００４５】
好ましくは、第１連結手段は、利用時に、バリア連結装置を第１バリア要素及び／又は第２バリア要素の第１部分若しくは第１取付手段に着脱可能に取り付けることを可能にする任意の手段又は機構である。
【００４６】
好ましくは、第２連結手段は、利用時に、バリア連結装置を第１バリア要素及び／又は第２バリア要素の第２部分若しくは第２取付手段に着脱可能に取り付けることを可能にする任意の手段又は機構である。
【００４７】
好ましくは、連結手段は、利用時に、バリア要素上に設けられた取付手段と着脱可能に係合可能である又は着脱可能に連結される。
【００４８】
好ましくは、バリア連結装置の第１連結手段は、バリア要素又は各バリア要素の第１取付手段と係合可能である。
【００４９】
好ましくは、バリア連結装置の第２連結手段は、バリア要素又は各バリア要素の第２取付手段と係合可能である。
【００５０】
一実施形態において、連結手段は、１つ以上のピン、ボス、ねじ、ボルト、突出部材、及び／若しくはほぞ、又は１つ以上の凹み、チャネル、アパーチャ、及び／又は止まり穴のうちの１つの形態であり、１つ以上のピン、ボス、ねじ、ボルト、突出部材、及び／若しくはほぞ、又は１つ以上の凹み、チャネル、アパーチャ、及び／若しくは止まり穴のもう一方の形態である取付手段と着脱可能に連結する。
【００５１】
一実施形態において、第１連結手段又は機構は、１つ以上のピン、ボス、ねじ、ボルト、突出部材、ほぞ、及び／若しくは同様のもの、又は１つ以上の凹み、チャネル、アパーチャ、止まり穴、及び／若しくは同様のもののうちの１つであり、１つ以上のピン、ボス、ねじ、ボルト、突出部材、ほぞ、及び／若しくは同様のもの、又は１つ以上の凹み、チャネル、アパーチャ、止まり穴、及び／若しくは同様のもののもう一方の形態である第１取付手段と係合可能である。
【００５２】
一実施形態において、第２連結手段又は機構は、１つ以上のピン、ボス、ねじ、ボルト、突出部材、ほぞ、及び／若しくは同様のもの、又は１つ以上の凹み、チャネル、アパーチャ、止まり穴、及び／若しくは同様のもののうちの１つであり、１つ以上のピン、ボス、ねじ、ボルト、突出部材、ほぞ、及び／若しくは同様のもの、又は１つ以上の凹み、チャネル、アパーチャ、止まり穴、及び／若しくは同様のもののもう一方の形態である第２取付手段と係合可能である。
【００５３】
第１連結手段又は機構は、第２連結手段又は機構と同じ又は実質的に同じであり得る。あるいは、第１連結手段又は機構は、第２連結手段又は機構と異なり得る又は実質的に異なり得る。
【００５４】
第１取付手段又は機構は、第２取付手段又は機構と同じ又は実質的に同じであり得る。あるいは、第１取付手段又は機構は、第２取付手段又は機構と異なり得る又は実質的に異なり得る。
【００５５】
好適な実施形態では、１つ以上のピン、ボス、ねじ、ボルト、突出部材、ほぞ及び／又は同様のものは、第１バリア要素及び／又は第２バリア要素の第１部分及び／若しくは第２部分上に設けられている、又はこれと対応付けられている。
【００５６】
好適な実施形態では、１つ以上の凹み、チャネル、アパーチャ、止まり穴、及び／又は同様のものは、バリア連結装置上に設けられている又はバリア連結装置と対応付けられている。
【００５７】
好ましくは、１つ以上のピン、ボス、ねじ、ボルト、突出部材、ほぞ及び／又は同様のものは、利用時に、バリア要素及び／又はバリア連結装置から、バリア要素の長手方向軸に対して垂直な、実質的に垂直な、又はこれを横断する方向に、外側に向かって突出するように配置されている。
【００５８】
好ましくは、バリア連結装置の１つ以上の凹み、チャネル、アパーチャ、止まり穴、及び／又は同様のものの開口部を通る中心軸線は、凹み、チャネル、アパーチャ、止まり穴、及び／又は同様のものの平坦開口部に垂直である、実質的に垂直である、又はこれを横断し、かつ利用時に、バリア要素の長手方向軸に垂直である、実質的に垂直である、又はこれを横断する。
【００５９】
好ましくは、連結手段、第１連結手段又は機構、第２連結手段又は機構、又は取付手段は、２つ以上のピン、ボス、ねじ、ボルト、突出部材、ほぞ、凹み、チャネル、アパーチャ、止まり穴、及び／又は同様のものを含む。
【００６０】
一実施形態において、連結手段、第１連結手段又は機構、又は取付手段は、安全ボルト構成又は安全ピンを含む。安全ボルト構成又は安全ピンは、利用時にバリア連結装置をバリア要素上にボルト留めする又は更に固設することを可能にする。
【００６１】
好ましくは、安全ボルト構成又は安全ピンは、２つ以上のピン、ボス、突出部材、ほぞ、凹み、チャネル、アパーチャ、止まり穴、及び／又は同様のものの間に設けることができ、２つ以上のピン、ボス、突出部材、ほぞ、凹み、チャネル、アパーチャ、止まり穴、及び／又は同様のものと横方向に及び／又は直線的に整列させて設けることができる。
【００６２】
好ましくは、第１連結手段若しくは機構及び／又は第２連結手段若しくは機構の２つ以上のピン、ボス、ねじ、ボルト、突出部材、ほぞ、凹み、チャネル、アパーチャ、止まり穴、及び／又は同様のものは、互いに離れた距離で設けられている。更に好ましくは、これらは利用時にバリア連結装置又はバリア要素の長手方向軸に平行な方向に離れた距離にある。
【００６３】
一実施形態において、第１連結手段又は機構は、バリア連結装置の頂部に、バリア連結装置の頂部に隣接して、又はバリア連結装置の頂部に向かって、更に好ましくは、少なくとも、バリア連結装置の頂部部分の下面上（すなわち、利用時に装着されたときにバリア要素の方に面する表面上）に設けられている。
【００６４】
一実施形態において、第２連結手段又は機構は、バリア連結装置のベースに、バリア連結装置のベースに隣接して、又は、バリア連結装置のベースに向かって、更に好ましくは、少なくとも、バリア連結装置のベース部分の下面上（すなわち、利用時に装着されたときにバリア要素の方に面する表面上）に設けられている。
【００６５】
好ましくは、利用時に連結装置がバリア要素に接合されると、バリア連結装置の頂部は、バリア要素の頂部に位置付けられる、バリア要素の頂部に当接する、又はバリア要素の頂部に隣接する。
【００６６】
好ましくは、バリア連結装置のベースは、利用時に連結装置がバリア要素に接合されると、バリア要素のベースに位置付けられる、バリア要素のベースに当接する、又はバリア要素のベースに隣接する。
【００６７】
したがって、一実施形態において、バリア連結装置は、バリア要素の頂部とバリア要素のベースとの間の全体に又は実質的に全体に延びる。
【００６８】
好ましくは、バリア連結装置によって互いに接合される２つのバリア要素の端部は、バリア連結装置が装着される前に互いに当接関係にされる。
【００６９】
好ましくは、利用時、バリア連結装置によって互いに接合された２つのバリア要素のサイドインパクト壁は、互いに面一又は実質的に面一である。
【００７０】
一実施形態において、バリア連結装置は、対称又は実質的に対称な形態である。これにより、利用時に連結装置をバリア要素の端部に、２つの可能な向きのいずれか１つで取り付けることを可能にする。例えば、バリア連結装置は、垂直軸を中心に対称であり得る。しかしながら、必要であれば、バリア連結装置は、非対称な形態とすることができる。例えば、バリア連結装置は、垂直軸及び／又は水平軸を中心に非対称とすることができる。
【００７１】
好ましくは、バリア連結装置の第１連結手段又は機構は、２つの連結部分、すなわち、左第１連結部分及び右第１連結部分を含む。左及び右に言及する場合、第１バリア要素の第１連結部分又は第２バリア要素の第１連結部分を同様に意味し得ることは理解されるであろう。
【００７２】
好ましくは、左連結部分及び右連結部分は、バリア連結装置の反対端部に又はバリア連結装置の反対端部に隣接して設けられている。
【００７３】
好ましくは、バリア連結装置の第２連結手段又は機構は、２つの連結部分、すなわち、左第２連結部分及び右第２連結部分を含む。左及び右に言及する場合、第１バリア要素の第２連結部分又は第２バリア要素の第２連結部分を同様に意味し得ることは理解されるであろう。
【００７４】
好ましくは、第１連結手段又は機構の左連結部分と右連結部分とは、互いに離れた距離にある。
【００７５】
第１連結手段又は機構の左連結部分と右連結部分とは、互いに同じであり得る又は異なり得る。
【００７６】
好ましくは、第２連結手段又は機構の左連結部分と右連結部分とは、互いに離れた距離にある。
【００７７】
第２連結手段又は機構の左連結部分と右連結部分とは、互いに同じであり得る又は異なり得る。
【００７８】
前述のように、バリア連結装置又はバリア連結装置の本体部分は、第２部材すなわちネック部と、第１部材すなわちヘッド部と、を含む。
【００７９】
好ましくは、第１部材すなわちヘッド部は、第２部材すなわちネック部の端部に位置付けられており、第２部材すなわちネック部の端部から外側に向かって突出している。
【００８０】
好ましくは、第１部材すなわちヘッド部は、第２部材すなわちネック部の少なくとも１つの側面、好ましくは両側面から側方に外側に向かって突出している。
【００８１】
好ましくは、第１部材すなわちヘッド部の寸法は、第２部材すなわちネック部の全ての側面から外側に向かって突出するようなものである。
【００８２】
好ましくは、第１連結手段は、第１部材すなわちヘッド部上に設けられている又は第１部材すなわちヘッド部と対応付けられている。
【００８３】
好ましくは、第１連結手段の左連結部分は、第２部材すなわちネック部の一方の側面から側方に外側に向かって突出している第１部材すなわちヘッド部の一部上に設けられている、又はこれと対応付けられている。
【００８４】
好ましくは、第１連結手段の右連結部分は、第２部材すなわちネック部の更に別の側面から、更に好ましくは、左連結部分が設けられる又は対応付けられる第１部材すなわちヘッド部の一部の反対側の側面から側方に外側に向かって突出している第１部材すなわちヘッド部の一部上に設けられている、又はこれと対応付けられている。
【００８５】
一実施形態において、第２部材すなわちネック部の２つ以上の外壁は、直線又は実質的に直線の形態である。例えば、第２部材すなわちネック部は、直方体の形状であり得る。
【００８６】
好ましくは、第２部材すなわちネック部は、利用時にそれらが位置付けられるバリア部材のサイドインパクト壁の少なくとも一部、好ましくは、サイドインパクト壁の上部に平行である又は実質的に平行であるように配置された前壁及び後壁を含む。
【００８７】
好ましくは、第２部材すなわちネック部は、第２部材ネック部の前壁と後壁との間に位置付けられた反対を向いた端壁を含む。反対を向いた端壁は、利用時にバリアコネクタ装置を形成するために利用される材料の量を低減するために、１つ以上のアパーチャ又はスロットを含み得る。
【００８８】
一実施形態において、バリア連結装置の第２部材すなわちネック部は、第１部材すなわちヘッド部に直接隣接して設けられた上部と、第１部材すなわちヘッド部から離れた距離にある下部と、を含む。
【００８９】
好ましくは、第２部材すなわちネック部の下部は、第２部材すなわちネック部の長手方向軸に平行な方向の長さが上部と比較して短い。
【００９０】
好ましくは、階段すなわち肩部分は、上部と下部との間に設けられている。
【００９１】
好ましくは、階段すなわち肩部分は、利用時に、バリア要素のそれぞれの内部内に設けられた１つ以上のリブ部材と係合するように配置されている。
【００９２】
好ましくは、第２連結手段は、第２部材すなわちネック部上に、更に好ましくは、第１部材すなわちヘッド部に設けられた端部に対向する第２部材すなわちネック部の端部又はベースに設けられている、又はこれと対応付けられている。
【００９３】
好ましくは、第１部材すなわちヘッド部は、頂壁と、ベース壁と、側壁と、端壁とを含む箱状の形態である。
【００９４】
好ましくは、第１部材すなわちヘッド部は、１つ以上のスロット又はアパーチャを含み、１つ以上のスロット又はアパーチャ内にツール及び／又は持ち上げ器具を差し込むことを可能にする。例えば、これにより、ツールを、利用時に第１連結手段及び／又はバリア要素の第１取付手段と係合したときに、第１連結手段及び／又はバリア要素の第１取付手段と接触させることを可能にする。例えば、ツールは、利用時に、連結手段又は取付手段のボルト若しくはボスと対応付けられたナットを締めるために利用され得る。持ち上げ器具は、利用時にバリア連結装置をバリア要素に連結するためにバリア連結装置を下降及び上昇させるために利用され得る。
【００９５】
一実施形態において、バリア連結装置の第２部材は、直線又は実質的に直線の形態である。
【００９６】
好ましくは、第２部材すなわちネック部は、離れた距離で設けられた、少なくとも２つの反対を向いた側壁を含む。
【００９７】
好ましくは、１つ以上のリブ部材は、２つの反対を向いた側壁間に設けられており、２つの反対を向いた側壁に強度及び剛性を提供する。
【００９８】
好ましくは、少なくとも第１バリア要素と第２バリア要素は、同一の又は実質的に同一の形態である。
【００９９】
好ましくは、第１バリア要素及び／又は第２バリア要素は、ベース部と、ベース部から上向きに及び外側に向かって突出する１つ以上のサイドインパクト壁と、トップ部と、を有する。
【０１００】
好ましくは、ベース部は、利用時にバリア要素が設けられる地表面上に又はこれに隣接して位置付けるためのものである。
【０１０１】
好ましくは、トップ部はベース部の反対側にあり、利用時にバリア要素が位置付けられる地表面から離隔した／上方に離れた距離にあるように配置される。
【０１０２】
好ましくは、第１バリア要素及び第２バリア要素はそれぞれ、第１端部及び第２端部を有する。
【０１０３】
好ましくは、各バリア要素の第１端部は、バリア要素の第２端部の反対側にある。
【０１０４】
好ましくは、トップ部は、バリア要素の第１端部及び／又は第２端部間の全体には延びず、前記バリア要素の前記第１端部及び／又は第２端部からある距離セットバックしている。サイドインパクト壁の頂部の、トップ部を有しないバリア要素の一部は、利用時にバリア連結装置の一部をバリア要素に位置付けること、好ましくは、利用時にバリア連結装置の第１部材すなわちヘッド部の一部を位置付けることを可能にするためである。
【０１０５】
好ましくは、バリア要素は、中空の又は実質的に中空の形態である。
【０１０６】
好ましくは、各バリア要素は、互いに離れた距離で位置付けられた２つのサイドインパクト壁を有する。
【０１０７】
一実施形態において、サイドインパクト壁は、バリア要素のベース部及び／又はトップ部に垂直に又は実質的に垂直に配置されている。
【０１０８】
一実施形態において、サイドインパクト壁は、下部及び上部を含む又は下部及び上部からなる。下部はベース部に隣接し、上部は、バリア要素のトップ部に隣接する。
【０１０９】
好ましくは、下部のサイドインパクト壁は、ベース部からトップ部に向かって狭まるテーパを有する。
【０１１０】
好ましくは、下部のサイドインパクト壁の角度は、上部のサイドインパクト壁の角度と異なる。
【０１１１】
一実施形態において、上部のサイドインパクト壁は、ベース部端部からトップ部端部に向かって狭まるテーパを有する。
【０１１２】
一実施形態において、上部のサイドインパクト壁は、トップ部に垂直に又は実質的に垂直に、外側に向かって又は下方に突出する。
【０１１３】
好ましくは、上部のサイドインパクト壁は、利用時に、垂直方向又は実質的に垂直方向に配置される。
【０１１４】
好ましくは、階段部分は、サイドインパクト壁の下部と上部との間に設けられている。
【０１１５】
好ましくは、階段部分は、下部及び上部に対して傾斜している又は角度を付けて設けられている。
【０１１６】
一実施形態において、バリア要素のトップ部に隣接するサイドインパクト壁の端部は、外側に向かって延びるフランジを備える。
【０１１７】
好ましくは、トップ部は、サイドインパクト壁及び／若しくは外側に向かって延びるフランジに接合されている、サイドインパクト壁及び／若しくは外側に向かって延びるフランジに着脱可能に取り付けられている、又はサイドインパクト壁及び／若しくは外側に向かって延びるフランジと一体である。
【０１１８】
一実施形態において、ベース部と、インパクト側壁と、トップ部とは、一体的に形成されている。
【０１１９】
好ましくは、トップ部は、バリア要素の１つ以上のサイドインパクト壁の少なくとも１つの側面から外側に向かって突出しており、更に好ましくは、サイドインパクト壁の両側面から外側に向かって突出している。
【０１２０】
好ましくは、肩部は、サイドインパクト壁から外側に向かって突出しているトップ部の下面とサイドインパクト壁との間に画定される。好ましくは、この肩部は、車両がバリア要素と衝突後、車両の垂直方向の移動を制限するように機能する。
【０１２１】
好ましくは、バリア連結装置の第１部材すなわちヘッド部は、利用時にバリア要素に装着されると、バリア要素のトップ部の表面と面一又は実質的に面一になるように配置されている。
【０１２２】
一実施形態において、アンカー手段又はアンカー機構は、利用時に、バリア要素が利用される地表面にバリア要素を固定することを可能にするために、バリアのベース部要素上に設けられている又はバリアのベース部要素と対応付けられている。
【０１２３】
好ましくは、アンカー手段又はアンカー機構は、ベース部の長さに沿った任意の１つ以上の箇所に、更に好ましくは、バリア要素の長手方向軸に平行な軸に沿ったベース部上の複数の箇所に設けられている。
【０１２４】
例えば、アンカー手段又はアンカー機構は、バリア要素の端部に、バリア要素の端部から離れた距離に、バリア要素の長さに沿った中間若しくは中心箇所に、及び／又は同様のものに設けられ得る。
【０１２５】
好ましくは、アンカー手段又はアンカー機構は、１つ以上のアパーチャ、貫通穴、スロット、チャネル、アンカーボルト、ピン、ねじ、及び／若しくは同様のもののいずれか又は任意の組み合わせを含む。
【０１２６】
一実施形態において、ベース部は、１つ以上のサイドインパクト壁の少なくとも１つの側面、更に好ましくは、サイドインパクト壁の両側面から外側に向かって突出している。
【０１２７】
一実施形態において、アンカー手段又はアンカー機構は、サイドインパクト壁から外側に向かって突出しているベース部の一部に設けられている。
【０１２８】
好ましくは、アンカー手段又はアンカー機構は、サイドインパクト壁の両側面から外側に向かって突出しているベース部の反対の箇所に又は実質的に反対の箇所に設けられている。
【０１２９】
好ましくは、１つ以上の凹みはベース部内に画定され、アンカー手段又はアンカー機構は、１つ以上の凹み内に、好ましくは、１つ以上の凹みのベース壁内に設けられている。
【０１３０】
好ましくは、ベース部内の１つ以上の凹みは、トップ部に向かってかつ利用時にバリア要素が位置付けられる地表面と反対に面する少なくとも１つの開口部を有するように配置されている。更に好ましくは、この開口部は、１つ以上の凹みのベース壁の反対側にある又は実質的に反対側にある。
【０１３１】
好ましくは、ベース部内の１つ以上の凹みは、サイドインパクト壁から外側に面する少なくとも１つの開口部を有するように配置されており、利用時に、この開口部から、ベース部が外側に向かって突出する。
【０１３２】
一実施形態において、アンカー手段は、ベースアンカー部分と直立アンカー部分とを有するアンカー要素を含む。
【０１３３】
好ましくは、アンカー要素は、バリア部材の中空空洞部内に少なくとも部分的に位置付け可能である。
【０１３４】
好ましくは、ベースアンカー部分は、ベース部内に画定される１つ以上の凹み内に着座し、直立アンカー部分は、バリア部材の中空空洞部内に位置付けられる。
【０１３５】
好ましくは、アンカー機構は、ベースアンカー部分内に画定される。
【０１３６】
好ましくは、ベースアンカープレートは、プレート若しくはプレート状部材、又はトレイ若しくはトレイ状部材を含む。
【０１３７】
好ましくは、バリア要素の取付手段は、バリア要素の最外周囲又は寸法内に少なくとも部分的に又は完全に凹設されている。
【０１３８】
好ましくは、各バリア要素は、利用時の、バリア連結装置の第１連結手段との着脱可能な取付けのための第１取付手段又は機構を備える。
【０１３９】
好ましくは、各バリア要素は、利用時の、バリア連結装置の第２連結手段との着脱可能な取付けのための第２取付手段又は機構を備える。
【０１４０】
好ましくは、第１取付手段又は機構は、バリア要素の端部若しくは第１端部に設けられている、又はバリア要素の端部若しくは第１端部に隣接して設けられている。
【０１４１】
好ましくは、第１取付手段又は機構は、バリア要素の端部又は第１端部から離れた距離に設けられている。
【０１４２】
好ましくは、第１取付手段又は機構は、バリア要素のトップ部上に設けられている、バリア要素のトップ部に隣接する、若しくはバリア要素のトップ部と対応付けられている、又はバリアのベース部要素と対応付けられたサイドインパクト壁の端部の反対側にあるサイドインパクト壁の端部にある。
【０１４３】
好ましくは、第２取付手段又は機構は、バリアのベース部要素上に設けられている、バリアのベース部要素に隣接する、若しくはバリアのベース部要素と対応付けられている、又はバリア要素のトップ部と対応付けられたサイドインパクト壁の端部の反対側にあるサイドインパクト壁の端部にある。
【０１４４】
好ましくは、第２取付手段又は機構は、バリア要素の端部若しくは第１端部に設けられている、又はバリア要素の端部若しくは第１端部に隣接して設けられている。
【０１４５】
好ましくは、第２取付手段又は機構は、バリア要素の端部又は第１端部から離れた距離に設けられている。
【０１４６】
好ましくは、第２取付手段又は機構は、バリアのベース部要素上に設けられている又はバリアのベース部要素と対応付けられており、かつバリア要素の中空領域内にある。
【０１４７】
好ましくは、第１取付手段若しくは機構及び／又は第２取付手段若しくは機構は、１つ以上のピン、ボス、突出部材、相互係合部材、ほぞ、凹み、チャネル、アパーチャ、止まり穴、及び／若しくは同様のもののいずれか又は任意の組み合わせを含む。
【０１４８】
好ましくは、第１取付手段は、利用時に第１連結手段を第１取付手段に係合させることにより、バリア連結装置の頂壁がバリア要素のトップ部の頂壁と面一又は実質的に面一になるように配置されている。
【０１４９】
好ましくは、バリア連結装置の第２部材すなわちネック部は、完全に又は実質的に完全に、バリア要素の端部にあるバリア要素の中空領域内に位置付けられるように配置されている。
【０１５０】
一実施形態において、１つ以上の足部材は、利用時にバリア要素を地表面上で支持することを可能にするために、バリアのベース部要素上に設けられている又はバリアのベース部要素と対応付けられている。
【０１５１】
好ましくは、足部材は、バリアのベース部要素の下面上に、離隔した間隔で設けられている。
【０１５２】
好ましくは、バリア要素の第２端部は、ボルト式ジョイントを備え得る、バリア要素の第１端部と同じであり得る、及び／又はそれ以外の連結手段を備え得る。
【０１５３】
好ましくは、複数のバリア要素は、端部と端部とを繋げた構成で提供され、長尺状のバリア構造体又はシステムを作成する。複数のバリア連結装置を提供することができ、各バリア連結装置は、２つの隣接するバリア要素の間に提供される。
【０１５４】
本発明の一態様によれば、バリアシステムで利用するためのバリア連結装置が提供される。
【０１５５】
本発明の更なる態様によれば、バリアシステムで利用するためのバリア要素が提供される。
【０１５６】
本発明の一態様によれば、バリアシステムを利用する方法であって、前記バリアシステムは、第１バリア要素及び少なくとも第２バリア要素であって、第１及び第２バリア要素の少なくとも一部分は、中空内側部を有する、第１バリア要素及び少なくとも第２バリア要素を含み、当該方法は、第１バリア要素の端部と第２バリア要素の端部とを互いに組み合わせる工程と、バリア連結装置を利用して、第１バリア要素の端部と第２バリア要素の端部とを着脱可能に連結する工程であって、前記バリア連結装置は、第１バリア要素の端部と少なくとも第２バリア要素の端部とを互いに着脱可能に連結するためにバリア連結装置上に設けられた又はバリア連結装置と対応付けられた連結手段を有し、バリア連結装置は、第１バリア要素と少なくとも第２バリア要素とを互いに着脱可能に連結するために、バリア連結装置の少なくとも一部を第１及び第２バリア要素の中空内部に差し込み可能であるように配置され、かつ寸法付けされている、工程と、を含む、方法が提供される。
【０１５７】
本発明の更なる態様によれば、バリア連結装置、バリアシステム、及び／又はバリア要素を利用する方法が提供される。
【０１５８】
ここで、本発明の実施形態を、以下の図を参照しながら記載する。
【図面の簡単な説明】
【０１５９】
【図１ａ−ｅ】本発明の一実施形態によるバリア要素の、それぞれ、斜視図、平面図、側面図、ベース平面図、及び端部図を示す。
【図２ａ−ｆ】本発明の一実施形態によるバリア連結装置の、それぞれ、斜視図、平面図、側面図、ベース平面図、第１端部図、及び第２端部図を示す。
【図３ａ−ｅ】図１ａ〜図１ｅのバリア要素に接合された図２ａ〜図２ｆのバリア連結装置の、それぞれ、斜視図、平面図、側面図、ベース平面図、及び端部図を示す。
【図４ａ−ｅ】本発明の更なる実施形態によるバリア連結装置の、それぞれ、平面図、側面図、第１端部図、第２端部図、及びベース平面図を示す。
【図５ａ−ｃ】本発明の一実施形態によるアンカー要素の斜視図、端部図、及び側面図を示す。
【図６ａ−ｂ】本発明の一実施形態によるバリアの一部の、それぞれ、斜視図及び平面図を示す。
【図７ａ−ｂ】本発明の更なる実施形態によるバリアの一部の、それぞれ、斜視図及び平面図を示す。
【図８ａ−ｂ】本発明の一実施形態によるバリア連結装置を介して互いに接合された２つのバリア部材の、それぞれ、斜視図及び平面図を示す。バリア連結装置の頂面は、それが接合されているバリア部材の頂面と面一であり、それにより、単一の連続的なバリア構造体の外観を作成していることが分かる。
【発明を実施するための形態】
【０１６０】
図１ａ〜図３ｅを参照すると、バリア連結装置６によって端部と端部とが互いに間接的に連結された少なくとも第１及び第２バリア要素４（明確にする目的で１つのバリア要素の一部のみを示す。）を含むバリアシステム２が示される。
【０１６１】
システムの各バリア要素４は、典型的には、同一の形態であるため、端部と端部とを任意の向きで繋げて利用することができ、それによって、バリア要素を組み立てるプロセスを従来のバリアシステムに比べて大幅に容易にする。しかしながら、必要であれば、異なるバリア要素をシステムで利用することはできる。
【０１６２】
各バリア要素４は、ベース部８と、ベース部から上向きに突出した２つのサイドインパクト壁１０、１２と、ベース部８と反対側のサイドインパクト壁の端部に位置するトップ部１４と、を有する。バリア要素は、第１端部１６及び第２端部（図示せず）を有する。第２端部は、第１端部と同一の形態であり得る、又は例えばボルト式ジョイントなどの任意の従来のタイプのバリア連結手段を含み得る。
【０１６３】
図示される例では、ベース部８とトップ部１４は、２つのサイドインパクト壁と一体的に形成されているが、ベース部及び／又はトップ部を、例えば、溶接、ボルトにより及び／又は何らかの他の適切な接合手段を利用して、サイドインパクト壁に接合することができることは理解されるであろう。
【０１６４】
ベース部８は、典型的には、各サイドインパクト壁１０、１２からそれぞれ側方に外側に向かってに突出しているプレート部材１８、１８’を含む。各プレート部材１８、１８’は、典型的には長尺状の形態であり、バリア要素４の長手方向軸に平行に配置されている。各プレート部材１８、１８’は、典型的には、平坦な形態である。成形済み縁部がバリア要素上に露出しないようにするために、フランジ状の又はＵ字形の端部２０、２０’が、任意選択的に、プレート部材１８、１８’の最も外側の長手方向縁部に設けられ得る。
【０１６５】
凹み２２、２２’は、プレート部材１８、１８’内の反対の位置に、バリア要素４の第１端部１６から離れた距離で画定される。凹み２２、２２’は、利用時にバリア要素を地表面に固定するためのアンカー手段を位置付けるためのものである。アンカー手段用の凹みは、利用時に地表面へのバリア要素の固定を提供するために、ベース部８の長さに沿った任意の１つ以上の場所に位置付けることができることに留意されるべきである。例えば、アンカー手段は、バリア要素の第１端部に直に、ベース部の長さに沿った中間の若しくは中心の場所に、及び／又は同様の場所に設けられ得る。
【０１６６】
より具体的には、各凹み２２、２２’はベース壁２４を有し、ベース壁２４はベースプレート２６によって形成され、ベースプレート２６は、バリア要素４の長手方向軸に垂直に位置付けられており、バリア要素の両サイドインパクト壁１０、１２から外側に向かって突出している。この例のアンカー手段は、各凹み２２、２２’のベース壁２４内に画定されたスロット２８を含む。スロット２８は、利用時にスロット２８内にアンカーピン（図示せず）を位置付けるためのものである。各凹み２２、２２’は、プレート部材１８、１８’の壁内に画定される、利用時にバリア要素が位置付けられる地表面と反対を向いた第１の開口部と、プレート部材１８、１８のフランジ状の縁部２０、２０’内に画定される、バリア要素のサイドインパクト壁と反対を向いた第２の開口部と、を有する。
【０１６７】
足部材３０もまた、利用時にバリア要素４を地表面上で支持するために、ベース部８の下面上に設けられ得る。足部材３０は、典型的には、ベース部８を地表面より上のある距離に上昇させるために、バリア要素の長さに沿って離隔した間隔で設けられている。図では、足部材は、バリア要素の長手方向軸を横断して配置されているが、任意の必要な配置で設けることができる。
【０１６８】
サイドインパクト壁１０、１２はそれぞれ、下方部３２及び上方部３４を有する。下方部３２は、ベース部８に隣接し、ベース部８から上向きに及び外側に向かって突出している。下方部３２は、トップ部１４に向かって狭まるテーパを有する。
【０１６９】
上方部３４は、トップ部１４から下向き及び下方に突出している。上方部３４は、垂直方向に配置されており、かつトップ部１４に垂直である。
【０１７０】
サイドインパクト壁１０、１２は、互いに離れた距離にあり、それらの間に中空バリア内部を画定する。図では、サイドインパクト壁１０、１２の上方部３４は互いに平行である。
【０１７１】
サイドインパクト壁の長さは、バリア要素の長手方向軸に平行に配置されている。
【０１７２】
階段部３６は、下方部３２と上方部３４との間に画定される。
【０１７３】
バリア要素のトップ部１４は、バリアのベース部に平行に配置された頂面４０と、サイドインパクト壁の上方部３４に平行に配置された側壁４２と、を有する。トップ部１４は、バリア要素の長手方向軸に平行に配置されている。
【０１７４】
トップ部１４は、バリア要素のトップ全体に沿って設けられておらず、サイドインパクト壁の上端部でバリア要素内に凹設された第１取付手段４６へのアクセスを可能にするために、第１端部１６からの距離を終了している。
【０１７５】
外側に向かって延びるフランジ３８、３８’は、サイドインパクト壁１０、１２の上端部に、トップ部１４が存在しない第１端部１６に隣接して設けられている。フランジ３８、３８’は、利用時にバリア連結装置の下面との係合を可能にするためである。
【０１７６】
アパーチャ４４は、利用時に、アパーチャ４４にクレーンのフック又はリフト用アタッチメントを取り付けることを可能にするために、頂面４０の長さに沿って離隔した間隔で配置されている。
【０１７７】
バリア要素は、利用時に、バリア連結装置６上に設けられた第１及び第２連結手段５０、５２への着脱可能な取付けを可能にするための第１及び第２取付手段４６、４８を含む。
【０１７８】
より具体的には、第１取付手段４６は、取付プレート５６上に離れた距離で設けられた２つの上向きに突出したピン部材５４を含む。取付プレート５６は、第１端部１６に隣接するサイドインパクト壁の上端部において、２つのサイドインパクト壁１０、１２間で接合されている。ピン部材５４は、サイドインパクト壁の端部より上に上向きに、しかし、トップ部１４の頂面の高さより下に突出している。
【０１７９】
ピン部材５４の長手方向軸は、バリア要素４の長手方向軸に垂直に配置されている。この例では、ピン部材５４のスペーシングは、バリア要素の長手方向軸に平行な軸に沿って配置されているが、利用時にピン部材がバリア連結装置との取付けを可能にする限りは、任意の数及び／又は配置のピン部材を設けることができる。
【０１８０】
これに加えて、以下に更に詳細に記載されるように、第１取付手段は、安全ロックボルト、又は上向きに突出したボス５１の形態の、上向きに突出したボス５１と対応付けられたロックボルト５３を備えるロック可能な係合手段と、取付プレート５６内に画定される２つのアパーチャ５５と、を含み得る。
【０１８１】
第２取付手段４８は、取付プレート６０上に離れた距離で設けられた３つの上向きに突出したピン部材５８を含む。取付プレート６０は、ベース部８に隣接するサイドインパクト壁の端部において、２つのサイドインパクト壁１０、１２間で接合されている。取付プレート６０及び突出したピン部材５８は、バリア要素４の第１端部１６で、バリア要素４の内部内に位置付けられている。
【０１８２】
第２取付手段４８は第１取付手段４６と比べると、バリア要素の第１端部１６により近接して位置付けられていることに留意されたい。第１取付手段４６は、第１端部１６から相対的にセットバックされている。したがって、第１取付手段４６は、第２取付手段４８から部分的に又は完全にオフセットしており、それにより、利用時に、バリア連結装置をバリア要素上に垂直方向に単に落下させることによる、バリア要素へのバリア連結装置６の簡単な設置を可能にする。同じ単純な垂直動作を逆向きに行い、利用時にバリア要素からのバリア連結装置の取外しを可能にすることができる。
【０１８３】
バリア連結装置６は、第１部材すなわちヘッド部７０と、ヘッド部７０の下面７４から外側に向かって突出している第２部材すなわちネック部７２と、を含む。この例では、ネック部は、ヘッド部の中央に配置されているが、ヘッド部の端部間の任意の場所に設けることができる。
【０１８４】
ヘッド部７０は、頂面７６と、頂面と反対側の下面７４と、反対を向いた側壁７８、８０と、反対を向いた端壁８２、８４と、を有する、箱状部材の形態である。ヘッド部７０の内部は中空である。
【０１８５】
ネック部７２は、２つの離隔し、反対を向いた側壁８６、８８と、ヘッド部端部の反対側の、ネック部の端部に設けられたベース壁９０と、を有する。ネック部７２は中空であり、複数のリブ部材９２は、側壁を補強するために及び側壁に剛性を与えるために、反対を向いた側壁８６、８８の間に設けられている。
【０１８６】
ネック部７２は、ヘッド部７０に隣接する上部９４を有する。上部９４は、ベース壁９０に隣接するネック部７２の下部９６よりも長さが長い。これにより、上部９４と下部９６との間の、ネック部の各側面上に、利用時にバリア要素と連結されたときにバリア要素４の内部に画定されるリブ部材１００を位置付けるために利用され得る肩部９８を作成する。リブ部材１００は、典型的には、サイドインパクト壁１０、１２の間の、ヘッド部１４とベース部８との間の、バリア要素の中間に設けられている。
【０１８７】
ヘッド部７０がネック部７２の側壁８６、８８から外側に向かって突出するように、バリア連結装置のヘッド部の幅「ｗ」はネック部の幅「Ｙ」よりも大きい。バリア連結装置のヘッド部の長さ「ｌ」もまた、ネック部の最長長さ「ｚ」よりも長い。したがって、ヘッド部は、ネック部の全ての側面においてネック部から外側に向かって突出している。
【０１８８】
ヘッド部７０の幅「ｗ」は、典型的には、バリア要素４の頂面４０の幅と同じであり、それにより、利用時に互いに接合されたときにバリア要素の頂面とバリア連結装置の頂面とが互いに面一であること又は実質的に面一であることを可能にする。
【０１８９】
ネック部７２の幅「Ｙ」は、典型的には、バリア要素４の対向するサイドインパクト壁１０、１２間の幅よりも小さく、それにより、利用時にバリア連結装置がバリア要素に装着されたときにネック部がバリア要素の側壁内に着座することを可能にする。
【０１９０】
バリア連結装置６は、ヘッド部７０上に設けられた第１連結手段１０２と、ネック部７２のベース壁９０内に設けられた第２連結手段１０４と、を含む。第１連結手段１０２は、利用時に第１及び第２バリア要素の第１取付手段４６と係合するためのものである。第２連結手段１０４は、利用時に第１及び第２バリア要素の第２取付手段４８と係合するためのものである。
【０１９１】
第１連結手段１０２は、下面７４内に画定される、利用時に第１バリア要素上の２つのピン５４と係合させるための２つのアパーチャ１０６の形態の左第１連結手段と、下面７４内に画定される、利用時に第２バリア要素上の２つのピン５４と係合させるための２つのアパーチャ１０８の形態の右連結手段と、を含む。
【０１９２】
第１連結手段１０２はまた、下面７４と頂面７６との間を通り、少なくとも第１バリア要素の突出したボス５１とロックナット５３とに係合するための左貫通アパーチャ１１０及び右貫通アパーチャ１１２を含む。ボス５１とロックナット５３との間の係合により、バリア要素とバリア連結装置との間のあらゆる許容差を吸収し、利用時にバリア要素とバリア連結装置との間の確実な係合を確保にする。確実な係合を得るためには、第１連結手段の、両側面ではなく一方の側面のみを、ボス及びロックナットを介してバリア要素と係合させる必要があることが見出された。しかしながら、必要であれば、ボス及びロックナットを介して両側面を係合させることはできる。
【０１９３】
２つの離隔したピン部材１１４は、バリア要素上に設けられたアパーチャ５５内に位置付けるために、ヘッド部７０の少なくとも１つの端部１１６上に設けられている。ピン部材１１４は、典型的には、利用時にボス５１及びアパーチャ１１０の位置付けを助けるためのものである。
【０１９４】
サイドスロット１１８は、利用時に、ボス５１上のナット５３を、貫通アパーチャ１１０と係合したときに締めるためのツールをサイドスロット１１８中に差し込むことを可能にするために、ヘッド部７０の側壁７８、８０内に画定される。
【０１９５】
第２連結手段１０４は、一連の３つのアパーチャ１２０の形態の左連結手段と、一連の３つのアパーチャ１２２の形態の右連結手段と、を含み、これらは全て、ネック部７２のベース壁９０内に画定される。アパーチャ１２０は、利用時に、第１バリア要素のベースプレート６０上に設けられたピン５８と係合させるためのものである。アパーチャ１２２は、利用時に、第２バリア要素のベースプレート６０上に設けられたピン５８と係合させるためのものである。
【０１９６】
したがって、バリア連結装置６はＴ字形の形態であることが分かる。
【０１９７】
利用時に２つのバリア要素の端部を互いに接合するために、隣り合うバリア要素の対向する端部が互いに当接するように、２つのバリア要素を、端部と端部とを繋ぎ合わせる手法で互いに組み合わせる。その後、第１連結手段が第１取付手段と係合し、第２連結手段が第２取付手段と係合するように、バリア連結装置６をバリア要素の上方から垂直方向に適所に単に落下させる。バリア連結装置のヘッド部の長手方向軸は、バリア要素の長手方向軸と平行になるように配置される。バリア要素は、バリア連結装置をバリア要素と係合させる前又は後に、アンカリング手段を利用して地表面に固定され得る。更なるバリア要素を同様の手法で互いに接合し、長尺状のバリア構造体を作成することができる。
【０１９８】
グリップ用アパーチャ４４、１２４を、バリア要素４の頂面４０及びバリア連結装置６の頂面７６内にそれぞれ画定し、利用時にこれらをクレーンによって掴む及び／又は持ち上げることを可能にすることができる。
【０１９９】
図４ａ〜図４ｅを参照すると、本発明の一実施形態によるバリアコネクタ装置２００の更なる実施形態が示されている。装置２００の特徴の多くは、図２ａ〜図２ｅに示されるコネクタ装置６と同じであり、同じ特徴を参照するために同じ参照番号を利用する。
【０２００】
前述の実施形態と同様に、バリアコネクタ装置２００は、ヘッド部７０と、ヘッド部７０の下面から外側に向かって突出しているネック部７２と、を含む。
【０２０１】
ネック部７２の外壁（反対を向いた前壁及び後壁２０２、２０４、並びに反対を向いた端壁２０６、２０８）は、階段状であるよりもむしろ直線の形態であり、ネック部は直方体の形状である。外壁は、図２ａ〜図２ｅに示される実施形態で必要であったように、バリア部材の内部空洞部内に設けられた任意のリブ部材内に係合する必要はない。端壁２０６、２０８は、装置２００を形成するために必要な材料の量を低減するために、したがって、装置２００の重量を低減するために、端壁２０６、２０８内に画定されるアパーチャ２１０を有する。
【０２０２】
グリップ用アパーチャ１２４は、その一方の端部に提供された、ピン部材１１４がどちらの端部に位置付けられているかを利用者が容易に見えるようにするためにピン部材１１４の方向を向いている矢印部２１２を有する。
【０２０３】
図５ａ〜図５ｃを参照すると、製造中にバリア部材の内部に溶接されるアンカー要素２１４が示される。アンカー要素２１４は、バリア部材のベースの凹み２２内に着座するアンカーベースプレート２１６を含む。直立アンカー部分２１８は、バリア部材の内部空洞部内に位置付けられる。直立アンカー部分２１８は、その上に画定されるスリーブ部分２２０を備える。これらスリーブ部分２２０は、利用時にバリア部材に備え付ける必要があり得る任意の付属品、柱、標識、スクリーン、及び／又は同様のもののための支持部材として機能し得る。付属品、柱、標識、スクリーン、及び／又は同様のものの係合部分は、バリア部材の頂部を介して支持部材との係合に移行することができる。直立アンカー部分１８は、バリア要素の１つ以上の内側に面したサイドインパクト壁に溶接され得る。
【０２０４】
図６ａ〜図６ｂを参照すると、ベース部３０２と、２つのサイドインパクト壁３０４、３０６と、壁３０４、３０６の、ベース部３０２と反対側の端部に位置付けられたトップ部３０８と、を有するバリア要素３００が示されている。アンカー構成３１０は、利用時に道路表面へのバリア要素の固定を可能にするために、ベース部３０２内に設けられている。端部３１２に最も近いバリア要素の第１アンカー構成３１０は、端部３１２からある離れた距離後退したところにセットされている。この構成は、第１アンカー構成が端部３１２に直接隣接する図７ａ及び図７ｂに示されるバリア構成とは対照的である。アンカー構成の位置により、利用時の車両との衝突の際にバリアの異なるたわみ特性を提供する。
【０２０５】
アパーチャ３１４は、標識、スクリーニング、付属品、及び／又は同様のものの柱の位置付けを可能にするために、トップ部３０８内に画定される。
【０２０６】
この実施形態では、２つの上向きに突出したピン部材５４は、上向きに突出したボス５１と、２つの突出したピン部材の間に設けられたロックボルト５３と共に、離れた距離で設けられている。この構成は、図７ａ及び図７ｂのロックボルト５３の構成と比べて異なるせん断荷重を提供する。
【０２０７】
本明細書に開示された特徴のいずれか又は任意の組み合わせが、本発明のバリア連結装置及び／又はバリア要素に設けられ得ることは理解されるであろう。
【図１ａ】
2021515861.tif 000003
【図１ｂ】
2021515861.tif 000004
【図１ｃ】
2021515861.tif 000005
【図１ｄ】
2021515861.tif 000006
【図１ｅ】
2021515861.tif 000007
【図２ａ】
2021515861.tif 000008
【図２ｂ】
2021515861.tif 000009
【図２ｃ】
2021515861.tif 000010
【図２ｄ】
2021515861.tif 000011
【図２ｅ】
2021515861.tif 000012
【図２ｆ】
2021515861.tif 000013
【図３ａ】
2021515861.tif 000014
【図３ｂ】
2021515861.tif 000015
【図３ｃ】
2021515861.tif 000016
【図３ｄ】
2021515861.tif 000017
【図３ｅ】
2021515861.tif 000018
【図４ａ】
2021515861.tif 000019
【図４ｂ】
2021515861.tif 000020
【図４ｃ】
2021515861.tif 000021
【図４ｄ】
2021515861.tif 000022
【図４ｅ】
2021515861.tif 000023
【図５ａ】
2021515861.tif 000024
【図５ｂ】
2021515861.tif 000025
【図５ｃ】
2021515861.tif 000026
【図６ａ】
2021515861.tif 000027
【図６ｂ】
2021515861.tif 000028
【図７ａ】
2021515861.tif 000029
【図７ｂ】
2021515861.tif 000030
【図８ａ】
2021515861.tif 000031
【図８ｂ】
2021515861.tif 000032
【国際調査報告】
2021515861.tif 000033
2021515861.tif 000034
2021515861.tif 000035